(57)【特許請求の範囲】
【請求項１】
ブロック部材のスリット、板状部材の先端側及び底板の投入口を相互に位置決めすることにより、前記底板の上面のうち投入口のない部分、前記スリットの内周面及び前記板状部材の先端面によって所定量の粉粒繊維系材料が収容されうる収容部を確保する収容部確保工程と、
前記板状部材の先端面を前記スリットの基端面に対して幅寄せすることにより、前記収容部確保工程によって確保された前記収容部に収容された所定量の粉粒繊維系材料を口部を通じて容器内に投入され得る柱状に圧縮する圧縮工程と、
前記スリット、前記板状部材の先端側及び前記底板の投入口を相互に位置決めすることにより、前記圧縮工程によって圧縮された所定量の柱状粉粒繊維系材料の真下位置に前記底板の前記投入口を確保する投入口確保工程と、
前記圧縮工程によって前記板状部材の先端面が前記スリットの基端面に対して幅寄せされ、かつ、前記投入口確保工程によって前記投入口が確保された場合において前記スリットの内周面によって保持された所定量の柱状粉粒繊維系材料を前記投入口を通じて棒状部材により押し出す材料押出工程とを含む、
ことを特徴とする粉粒繊維系材料充填方法。
【請求項２】
前記材料押出工程によって容器内に投入された所定量の柱状粉粒繊維系材料を前記圧縮工程によって圧縮される前の状態に復元するため、当該容器に対して振動を付与する振動付与工程を含む、
ことを特徴とする請求項１に記載の粉粒繊維系材料充填方法。
【請求項３】
粉粒繊維系材料の投入口を有する底板と、
上下両側及び片側である横側に向けて開口するスリットを有し、前記底板上に載置され前記底板の上面に対する相対的な横方向摺動可能に設けられたブロック部材と、
前記スリットの高さ寸法に対応した幅寸法及び前記スリットの内幅寸法に対応した厚さ寸法を有し、先端側が前記スリット内に差し込まれ前記底板の上面及び前記スリットの内周面に対する相対的な横方向摺動可能に設けられた板状部材とを備えた粉粒繊維系材料充填装置であって、
前記ブロック部材のスリット、前記板状部材の先端側及び前記底板の投入口を相互に位置決めすることにより、前記底板の上面のうち投入口のない部分、前記スリットの内周面及び前記板状部材の先端面によって所定量の粉粒繊維系材料が収容されるべき収容部を確保する収容部確保手段と、
前記板状部材の先端面を前記スリットの基端面に対して幅寄せすることにより、前記収容部確保手段によって確保された前記収容部で収容された所定量の粉粒繊維系材料を口部を通じて容器内に投入され得る柱状に圧縮する圧縮手段と、
前記ブロック部材のスリット、前記板状部材の先端側及び前記底板の投入口を相互に位置決めすることにより、前記圧縮手段によって圧縮された所定量の柱状粉粒繊維系材料の真下位置に前記底板の投入口を確保する投入口確保手段と、
前記圧縮手段によって前記板状部材の先端面が前記スリットの基端面に対して幅寄せされ、かつ、前記投入口確保手段によって前記投入口が確保された場合において前記スリットの内周面によって保持された所定量の柱状粉粒繊維系材料を前記投入口を通じて棒状部材により押し出す材料押出手段と、を備えた、
ことを特徴とする粉粒繊維系材料充填装置。
【請求項４】
前記材料押出手段によって容器内に投入された所定量の柱状粉粒繊維系材料を前記圧縮手段によって圧縮される前の状態に復元するため、当該容器に対して振動を付与する振動付与手段を備えた、
ことを特徴とする請求項３に記載の粉粒繊維系材料充填装置。
【発明の詳細な説明】
【技術分野】
【０００１】
本発明は、主として細口ボトル容器内に粉状物、粒状物、繊維状物その他の粉粒繊維系材料を充填するに当たって用いられる粉粒繊維系材料充填方法及びその装置に関する。
【背景技術】
【０００２】
従来における粉粒繊維系材料充填方法としては、例えば所定量の粉状物をホッパー排出口及び容器の口部を通じて容器内に投入する投入工程を含む粉状物充填方法であって、投入工程に併せてホッパー内部で撹拌棒を回動させる撹拌工程を行うことにより、粉状物がホッパー排出口や容器の口部で詰まることなく容器内に円滑に投入されるようにしたものが開示されている（例えば、特許文献１参照）。
【特許文献１】特開平４−２５３６８３号公報
【発明の開示】
【発明が解決しようとする課題】
【０００３】
ところで、粉状物を充填すべき容器が細口ボトル容器のような口部の内径寸法が比較的小さい容器である場合には、投入工程に併せて撹拌工程を行うだけの従来の粉状物充填方法では、空気層が多く比重が小さいという特質を有する粉状物が、狭い容器の口部を通過出来ずに詰まったり、狭い容器の口部を通過できた場合でも空隙が過剰となり容器内に入りきれなくなったりする場合も少なくない。
【０００４】
このような場合には、容器の口部を通過できなかった粉状物や容器内に入りきれなかった粉状物を棒状部材を用いて容器内に何度も繰り返し押し込むという煩雑で非効率的な作業を余儀なくされてしまう。
【０００５】
なお、口部の内径寸法が比較的大きい広口ジャー容器内に充填する場合でも、繊維状物等を充填するような場合には、細口ボトル容器内に粉粒状物を充填する場合と同様の問題が生じることも少なくない。
【０００６】
そこで、本考案の課題は、細口ボトル容器等の内部に粉粒繊維系材料を充填する場合における煩雑で非効率的な作業を有効に回避することができる粉粒繊維系材料充填方法及びその装置を提供することにある。
【課題を解決するための手段】
【０００７】
上記課題を解決するため、本発明に係る粉粒繊維系材料充填方法は、  ブロック部材のスリット、板状部材の先端側及び底板の投入口を相互に位置決めすることにより、底板の上面のうち投入口のない部分、スリットの内周面及び板状部材の先端面によって所定量の粉粒繊維系材料が収容されうる収容部を確保する収容部確保工程と、板状部材の先端面をスリットの基端面に対して幅寄せすることにより、収容部確保工程によって確保された収容部に収容された所定量の粉粒繊維系材料を口部を通じて容器内に投入され得る柱状に圧縮する圧縮工程と、スリット、板状部材の先端側及び底板の投入口を相互に位置決めすることにより、圧縮工程によって圧縮された所定量の柱状粉粒繊維系材料の真下位置に底板の投入口を確保する投入口確保工程と、圧縮工程によって板状部材の先端面がスリットの基端面に対して幅寄せされ、かつ、投入口確保工程によって投入口が確保された場合においてスリットの内周面によって保持された所定量の柱状粉粒繊維系材料を投入口を通じて棒状部材により押し出す材料押出工程とを含む、ことを特徴としている。
【０００８】
このような粉粒繊維系材料充填方法によれば、材料押出工程の前に所定量の粉粒繊維系材料を口部を通じて容器内に投入し得るように圧縮する圧縮工程を含むので、細口ボトル容器等の内部に所定量の粉粒繊維系材料を充填する場合において容器の口部を通過できない粉粒繊維系材料や容器内に入りきれない粉粒繊維系材料の発生を確実に回避することが可能となる。
【０００９】
したがって、これによれば、細口ボトル容器等の内部に所定量の粉粒繊維系材料を充填する場合において容器の口部を通過できない粉粒繊維系材料等を棒状部材により容器内に何度も繰り返し押し込むという煩雑で非効率的な作業を有効に回避することが可能となる。
【００１０】
このような技術的手段において、製品の性質上粉状等であることが要求される場合に適切かつ効率的に対処しようとする観点からすれば、圧縮工程によって圧縮された所定量の柱状粉粒繊維系材料を材料押出工程によって容器内に投入した後、粉粒繊維系材料を圧縮工程によって圧縮される前の状態に復元するため容器に対して振動を付与する振動付与工程を含むことが好ましい。
【００１１】
また、本発明に係る粉粒繊維系材料充填装置は、粉粒繊維系材料の投入口を有する底板と、上下両側及び片側である横側に向けて開口するスリットを有し、底板上に載置され底板の上面に対する相対的な横方向摺動可能に設けられたブロック部材と、スリットの高さ寸法に対応した幅寸法及びスリットの内幅寸法に対応した厚さ寸法を有し、先端側がスリット内に差し込まれ底板の上面及びスリットの内周面に対する相対的な横方向摺動可能に設けられた板状部材とを備えた粉粒繊維系材料充填装置であって、ブロック部材のスリット、板状部材の先端側及び底板の投入口を相互に位置決めすることにより、底板の上面のうち投入口のない部分、スリットの内周面及び板状部材の先端面によって所定量の粉粒繊維系材料が収容されるべき収容部を確保する収容部確保手段と、板状部材の先端面をスリットの基端面に対して幅寄せすることにより、収容部確保手段によって確保された収容部で収容された所定量の粉粒繊維系材料を口部を通じて容器内に投入され得る柱状に圧縮する圧縮手段と、ブロック部材のスリット、板状部材の先端側及び底板の投入口を相互に位置決めすることにより、圧縮手段によって圧縮された所定量の柱状粉粒繊維系材料の真下位置に底板の投入口を確保する投入口確保手段と、圧縮手段によって板状部材の先端面がスリットの基端面に対して幅寄せされ、かつ、投入口確保手段によって投入口が確保された場合においてスリットの内周面によって保持された所定量の柱状粉粒繊維系材料を投入口を通じて棒状部材により押し出す材料押出手段とを備えたことを特徴としている。
【００１２】
このような粉粒繊維系材料充填装置によれば、収容部で収容された所定量の粉粒繊維系材料を口部を通じて容器内に投入され得る柱状に圧縮する圧縮手段を備えたので、細口ボトル容器等の内部に所定量の粉粒繊維系材料を充填する場合において容器の口部を通過できない粉粒繊維系材料や容器内に入りきれない粉粒繊維系材料の発生を確実に回避することが可能となる。
【００１３】
したがって、これによれば、細口ボトル容器等の内部に所定量の粉粒繊維系材料を充填する場合において容器の口部を通過できない粉粒繊維系材料等を棒状部材により容器内に何度も繰り返し押し込むという煩雑で非効率的な作業を有効に回避することが可能となる。
【００１４】
このような技術的手段において、製品の性質上粉状等であることが要求される場合に適切かつ効率的に対処しようとする観点からすれば、投入手段によって容器内に投入された所定量の柱状粉粒繊維系材料を圧縮手段によって圧縮される前の状態に復元するため当該容器に対して振動を付与する振動付与手段を備えたことが好ましい。
【発明の効果】
【００１５】
本発明に係る粉粒繊維系材料充填方法及びその装置によれば、細口ボトル容器等の内部に所定量の粉粒繊維系材料を充填する場合における煩雑で非効率的な作業が有効に回避されることとなる。
【発明を実施するための最良の形態】
【００１６】
以下、添付図面に基づいて本発明の実施の形態を詳細に説明する。
【００１７】
図１は本発明の一実施の形態に係る粉粒繊維系材料充填装置の全体構成を示す側面図（収容部確保時）、図２は同粉粒繊維系材料充填装置の部分構成を示す斜視図（収容部確保時）、図３は同粉粒繊維系材料充填装置の全体構成を示す側面図（投入口確保時）、図４は同粉粒繊維系材料充填装置の部分構成を示す斜視図（投入口確保時）、図５は同粉粒繊維系材料充填装置の全体構成を示す側面図（材料投入時）、図６は同粉粒繊維系材料充填装置の部分構成を示す斜視図（材料投入時）、図７は同粉粒繊維系材料充填装置の全体構成を示す側面図（材料押出時）、図８は同粉粒繊維系材料充填装置の部分構成を示す斜視図（材料押出時）である。
【００１８】
本実施の形態において、粉粒繊維系材料充填装置は、図１〜図８に示すように、有底円筒形状に形成された細口ボトル容器１０１内に粉状物を充填することを目的として用いられるものであり、所定量の粉状物を口部１０１ａを通じて細口ボトル容器１０１内に投入し得るように圧縮すると共に圧縮された所定量の粉状物を口部１０１ａを通じて細口ボトル容器１０１内に投入する役割を果たすものとして構成されている。
【００１９】
また、この粉粒繊維系材料充填装置は、図示しないが、細口ボトル容器１０１内に投入された所定量の粉状物を圧縮される前の状態に復元する機能が付加されたものとして構成されている。
【００２０】
なお、本実施の形態においては、図１、図３、図５及び図７に示すように、細口ボトル容器１０１が装着される装着部１０２ａが周方向に沿って複数設けられ、装着部１０２ａに装着された細口ボトル容器１０１が後述する材料押出部１１の真下に適宜タイミングで順次配置されるように回転する円盤状の回転式移送装置１０２を備えている。
【００２１】
具体的には、この粉粒繊維系材料充填装置は、これらの図に示すように、ベース１と、底板２と、ブロック部材３と、板状部材４と、ホッパー装置５と、収容部確保手段（図示外）と、圧縮手段（図示外）と、投入口確保手段（図示外）と、材料押出手段６と、振動付与手段（図示外）とを含むものとして構成されている。
【００２２】
以下、これらの各構成要素についてさらに詳細に説明する。
【００２３】
（１）ベース１
ベース１は、図１、図３、図５及び図７に示すように、材料押出手段６によって粉状物を押し出すための材料押出部１１を有する、比較的厚い平板状部材として構成されている。
【００２４】
ベース１は、その上に載置された底板２を横方向摺動可能に下側から支持する役割を果たすと共に、ホッパー装置５のホッパー５１を所定の高さ位置及び姿勢で支持する役割を果たすものとして構成されている（これらの図参照）。
【００２５】
（２）底板２
底板２は、図１〜図８に示すように、粉状物の投入口２１を有する比較的薄い平板状部材として構成されている。
【００２６】
底板２は、その上に載置されたブロック部材３を横方向摺動可能に下側から支持する役割を果たすと共に、その上に載置された板状部材４をブロック部材３とは別個独立に横方向摺動可能に下側から支持する役割を果たすものとして構成されている（これらの図参照）。
【００２７】
ここで、底板２は、所定量の粉状物を収容部１０３内に収容する工程においては、図１及び図２に示すように、収容部１０３内に落とし込まれた粉状物の下端位置を限界付ける、収容部１０３の底面としての役割を果たす。
【００２８】
また、底板２は、圧縮工程によって圧縮された所定量の粉状物を口部１０１ａを通じて細口ボトル容器１０１内に投入する工程においては、図５〜図８に示すように、収容部１０３内に確保された所定量の粉状物を投入口２１を通じて通過させる役割を果たす。
【００２９】
（３）ブロック部材３
ブロック部材３は、図１〜図８に示すように、上下両側が表面が平らな頂面及び底面として形成され、かつ、横側である前後左右が互いに平行で表面が平らな二対の側面として形成されたブロック状部材として構成されている。
【００３０】
ここで、このブロック部材３は、図２、図４、図６及び図８に示すように、上下両側及び前後左右のうちの一の横側に向けて開口するスリット３１を有するものとして構成されている。
【００３１】
そして、このブロック部材３は、図１、図３、図５及び図７に示すように、底板２の上面に対して底面の相対的な横方向摺動が可能となるように設けられると共に、フランジ部５１ａの下面に対して頂面の相対的な横方向摺動が可能となるように設けられたものとして構成されている。
【００３２】
（４）板状部材４
板状部材４は、図１〜図８に示すように、スリット３１の高さ寸法と略同一の幅寸法及びスリット３１の内幅寸法と略同一又は僅かに小さい厚さ寸法を有するものとして構成されている。
【００３３】
すなわち、この板状部材４は、これらの図に示すように、先端側がスリット３１内に差し込まれることにより、底板２の上面に対する相対的な横方向摺動可能に設けられると共にスリット３１の内周面に対する相対的な横方向摺動可能に設けられたものとして構成されている。
【００３４】
（５）ホッパー装置５
ホッパー装置５は、図１、図３、図５及び図７に示すように、粉状物を一時的に貯留する役割を果たすと共に貯留された粉状物を順次収容部１０３側に向けて供給する役割を果たすものとして構成されている。
【００３５】
具体的には、ホッパー装置５は、これらの図に示すように、下端開口及び下端開口を囲むフランジ部５１ａを有し、このフランジ部５１ａの下面がブロック部材３の上面に当接するようにベース１によって支持されたホッパー５１と、軸体５２ａ及びこの軸体５２ａに基端部が固着された撹拌棒５２ｂを有し、この撹拌棒５２ｂを軸体５２ａと共に回転させることによりホッパー５１内の粉状物を撹拌する撹拌装置５２とを備えたものとして構成されている（これらの図参照）。
【００３６】
（６）収容部確保手段
収容部確保手段は、図１及び図２に示すように、ブロック部材３のスリット３１、板状部材４の先端側及び底板２の投入口２１を相互に位置決めすることにより、底板２の上面のうち投入口２１のない部分、スリット３１の内周面及び板状部材４の先端面によって所定量の粉状物が収容されるべき収容部１０３を確保する役割を果たすものとして構成されている。
【００３７】
ここで、この収容部確保手段には、エアー圧力を直線運動に変換することによりベース１の頂面に沿った方向である横方向でのブロック部材３、板状部材４及び底板２のスライド移動を具体化するエアーシリンダの他、これらブロック部材３、板状部材４及び底板２のスライド移動にガタツキを生じないようにする直送案内機器等の機械要素をも含む。
【００３８】
（７）圧縮手段
圧縮手段は、図３及び図４に示すように、板状部材４の先端面をスリット３１の基端面に対して幅寄せすることにより、収容部確保手段によって確保された収容部１０３で収容された所定量の粉状物を口部１０１ａを通じて細口ボトル容器１０１内に投入され得る柱状（本実施の形態では円柱形状）に圧縮するものとして構成されている。
【００３９】
ここで、この圧縮手段には、エアー圧力を直線運動に変換することによりベース１の頂面に沿った方向である横方向でのブロック部材３及び板状部材４のスライド移動を具体化するエアーシリンダの他、これらブロック部材３及び板状部材４のスライド移動にガタツキを生じないようにする直送案内機器等の機械要素をも含む。
【００４０】
（８）投入口確保手段
投入口確保手段は、図５及び図６に示すように、ブロック部材３のスリット３１、板状部材４の先端側及び底板２の投入口２１を相互に位置決めすることにより、材料押出手段６に係る棒状部材６１の真下位置に圧縮手段によって圧縮された所定量の柱状粉状物を確保すると共にこの所定量の柱状粉状物の真下位置に底板２の投入口２１を確保する役割を果たすものとして構成されている。
【００４１】
ここで、この投入口確保手段には、エアー圧力を直線運動に変換することによりベース１の頂面に沿った方向である横方向でのブロック部材３、板状部材４及び底板２のスライド移動を具体化するエアーシリンダの他、これらブロック部材３、板状部材４及び底板２のスライド移動にガタツキを生じないようにする直送案内機器等の機械要素をも含む。
【００４２】
なお、この投入口確保手段によって投入口２１を確保するに当たっては、粉状物を充填すべき細口ボトル容器１０１が材料押出部１１の真下に配置されるように回転式移送装置１０２を適宜回転させると共に、細口ボトル容器１０１の口部１０１ａが材料押出部１１の材料押出用開口に当接するように回転式移送装置１０２全体を適宜上昇させる準備的動作が必要となる。
【００４３】
（１０）材料押出手段６
材料押出手段６は、図７及び図８に示すように、圧縮手段によって板状部材４の先端面がスリット３１の基端面に対して幅寄せされ、かつ、投入口確保手段によって投入口２１が確保された場合においてスリット３１の内周面によって保持された所定量の柱状粉状物を投入口２１を通じて棒状部材６１により押し出す役割を果たすものとして構成されている。
【００４４】
ここで、この材料押出手段６には、エアー圧力を直線運動に変換することにより細口ボトル容器１０１の軸線方向に沿った棒状部材６１のスライド移動を具体化するエアーシリンダの他、この棒状部材６１のスライド移動にガタツキを生じないようにする直送案内機器等の機械要素をも含む。
【００４５】
（１１）振動付与手段
振動付与手段は、図示しないが、材料押出手段６によって細口ボトル容器１０１内に投入された所定量の柱状粉状物を圧縮手段によって圧縮される前の状態に復元するため当該細口ボトル容器１０１に対して機械的に振動を付与する役割を果たすものとして構成されている。
【００４６】
なお、当該細口ボトル容器１０１に対する振動の付与は、作業者によるタッピングによって行うようにしてもよい。
【００４７】
このような振動付与手段により、製品の性質上粉状等であることが要求される場合に適切かつ効率的に対処することが可能となっている。
【００４８】
次に、この粉粒繊維系材料充填装置を用いて行う粉粒繊維系材料充填方法は、収容部確保工程と、圧縮工程と、投入口確保工程と、材料押出工程と、振動付与工程とを含むものとして構成されている。
【００４９】
以下、これらの各工程についてさらに詳細に説明する。
【００５０】
収容部確保工程と圧縮工程は、所定量の粉状物を口部１０１ａを通じて細口ボトル容器１０１内に投入し得るように圧縮するというものである。
【００５１】
（１）収容部確保工程
収容部確保工程は、収容部確保手段により、所定の収容部１０３ブロック部材３のスリット３１、板状部材４の先端側及び底板２の投入口２１を相互に位置決めされることにより、底板２の上面のうち投入口２１のない部分、スリット３１の内周面及び板状部材４の先端面によって所定量の粉状物が収容されるべき収容部１０３が確保される。
【００５２】
同時に、収容部確保手段によって確保された収容部１０３に向けて荷重計量により確保された所定量の粉状物がホッパー５１内から下端開口を通じて落とし込まれる。
【００５３】
これにより、所定量の粉状物が、収容部１０３内に収容されることとなる。
【００５４】
（２）圧縮工程
圧縮工程は、圧縮手段により、板状部材４の先端面がスリット３１の基端面に対して幅寄せされることにより、収容部確保手段によって確保された収容部１０３内に収容された所定量の粉状物が口部１０１ａを通じて細口ボトル容器１０１内に投入され得る柱状に圧縮される。
【００５５】
投入口確保工程と材料押出工程は、圧縮工程によって圧縮された所定量の柱状粉状物を口部１０１ａを通じて細口ボトル容器１０１内に投入するというものである。
【００５６】
（３）投入口確保工程
投入口確保工程は、投入口確保手段により、ブロック部材３のスリット３１、板状部材４の先端側及び底板２の投入口２１が相互に位置決めされることにより、材料押出手段６に係る棒状部材６１の真下位置に圧縮手段によって圧縮された所定量の柱状粉状物が確保されると共にこの所定量の柱状粉状物の真下位置に底板２の投入口２１が確保される。
【００５７】
（４）材料押出工程
材料押出工程は、材料押出手段６により、圧縮手段によって板状部材４の先端面がスリット３１の基端面に対して幅寄せされ、かつ、投入口確保手段によって投入口２１が確保された場合においてスリット３１の内周面によって保持された所定量の柱状粉状物が投入口２１を通じて棒状部材６１により押し出される。
【００５８】
これにより、所定量の柱状粉状物は、口部１０１ａを通じて細口ボトル容器１０１内に落とし込まれることとなる。
【００５９】
（５）振動付与工程
振動付与工程は、細口ボトル容器１０１内に投入された所定量の粉状物を圧縮される前の状態に復元するというものであり、本実施の形態のように、製品の性質上粉状等であることが要求される場合に適切かつ効率的に対処することを可能とするものである。
【００６０】
具体的には、材料押出手段６によって細口ボトル容器１０１内に落とし込まれた所定量の柱状粉状物を圧縮手段によって圧縮される前の状態に復元するため、振動付与手段により当該細口ボトル容器１０１に対して機械的な振動が付与される。
【００６１】
これにより、所定量の柱状粉状物は、細口ボトル容器１０１内において所定量の粉状物に復元されることとなる。
【００６２】
上記したように、本実施の形態における粉粒繊維系材料充填装置方法及びその装置にあっては、収容部１０３で収容された所定量の粉状物を口部１０１ａを通じて細口ボトル容器１０１内に投入され得る柱状に圧縮する圧縮手段を備えたものとして構成されている。
【００６３】
したがって、このような粉粒繊維系材料充填装置方法及びその装置によれば、細口ボトル容器１０１等の内部に所定量の粉状物を充填する場合において、狭い細口ボトル容器１０１の口部１０１ａを通過できない粉状物や細口ボトル容器１０１内に入りきれない粉状物の発生を確実に回避することが可能となっている。
【００６４】
それゆえ、細口ボトル容器１０１等の内部に所定量の粉状物を充填する場合において細口ボトル容器１０１の口部１０１ａを通過できない粉状物等を棒状部材６１により細口ボトル容器１０１内に何度も繰り返し押し込むという煩雑で非効率的な作業を有効に回避することが可能となっている。
【００６５】
以上、本発明に係る粉粒繊維系材料充填装置の一実施の形態として、化粧品としての粉状物を圧縮し細口ボトル容器１０１内に投入するものについて説明したが、本発明はこのような実施の形態に限定されるものではない。例えば、化粧品としての粉状物を圧縮し広口ジャー容器内に投入するものであってもよく、また、化粧品以外の食品等の粉状物を圧縮し投入するものであっても差し支えない。また、充填物も、粉状物に限定されず、粒状物、繊維状物その他の粉粒繊維系材料を用いることが可能であり、特に繊維状物を充填する場合に適用すれば優れた作用効果を奏することとなる。
【図面の簡単な説明】
【００６６】
【図１】本発明の一実施の形態に係る粉粒繊維系材料充填装置の全体構成を示す側面図（収容部確保時）である。
【図２】同粉粒繊維系材料充填装置の部分構成を示す斜視図（収容部確保時）である。
【図３】同粉粒繊維系材料充填装置の全体構成を示す側面図（投入口確保時）である。
【図４】同粉粒繊維系材料充填装置の部分構成を示す斜視図（投入口確保時）である。
【図５】同粉粒繊維系材料充填装置の全体構成を示す側面図（材料投入時）である。
【図６】同粉粒繊維系材料充填装置の部分構成を示す斜視図（材料投入時）である。
【図７】同粉粒繊維系材料充填装置の全体構成を示す側面図（材料押出時）である。
【図８】同粉粒繊維系材料充填装置の部分構成を示す斜視図（材料押出時）である。
【符号の説明】
【００６７】
１ ベース
２ 底板
３ ブロック部材
４ 板状部材
５ ホッパー装置
６ 材料押出手段
１１ 材料押出部
２１ 投入口
３１ スリット
５１ ホッパー
５１ａ フランジ部
５２ 撹拌装置
５２ａ 軸体
５２ｂ 撹拌棒
６１ 棒状部材
１０１ 細口ボトル容器
１０１ａ 口部
１０２ 回転式移送装置
１０２ａ 装着部
１０３ 収容部
【図１】
0005219260.tif 000002
【図２】
0005219260.tif 000003
【図３】
0005219260.tif 000004
【図４】
0005219260.tif 000005
【図５】
0005219260.tif 000006
【図６】
0005219260.tif 000007
【図７】
0005219260.tif 000008
【図８】
0005219260.tif 000009